(57)【要約】【課題】  ＬＥＤを用いた照明装置を眼鏡フレームの全面に装着する場合、照明装置がメガネフレームより前方に位置することになるのでフレームに重量負荷がかかり装着感が悪くなる。これを解決するにはメガネフレームにかかる重量負荷を小さくすることが望ましい。【解決手段】眼鏡フレーム前面部に装着する取り付け部材を持ったＬＥＤと光学系で構成した照明手段を備え、前記照明手段の先端部より鼻の方向に向かって重量軽減保持部材を設けたことを特徴とする照明装置。【選択図】  図１
2015225146.tif 000002
【特許請求の範囲】
【請求項１】
眼鏡フレーム前面部に装着する取り付け部材を持ったＬＥＤと光学系で構成した照明手段を備えた照明装置で、前記照明手段の先端部より鼻の方向に向かって重量軽減保持部材を設けたことを特徴とする照明装置。
【請求項２】
重量軽減保持部材は、先端部より鼻の方向に向かって相対的に屈曲可能に連結した複数の保持部材で構成する構造を特徴とする請求項１記載の照明装置。
【発明の詳細な説明】
【技術分野】
【０００１】
本発明は、眼鏡フレーム等に装着して使用する小型のヘッドライト型の照明装置に関する。
【背景技術】
【０００２】
耳鼻科、歯科等の診断補助用に古くから使用される照明装置としては、術者の両手の自由度を確保する必要性から頭部に装着可能な額帯鏡がある。額帯鏡は、中心部に観察用の開口を有する集光部の凹面鏡で構成され、顔の前方に配置される。
【０００３】
凹面鏡で構成される額帯鏡は、構造は簡単であるが凹面鏡が比較的大きな面積を占めるので実者の視野を妨げると共に、照明部の光量を調節できないと欠点を持っている。
【０００４】
近年、発光効率の高い小型ＬＥＤ（発光ダイオード）が実用化されるに従って、例えば文献特許１に示されるような凹面鏡に相当する部分に小型ＬＥＤを照明装置として組込んだ額帯鏡が開示されている。
【０００５】
また、特許文献２、３に示さるような眼鏡のフレームに小型照明手段を装着した眼鏡型照明装置も開示されている。
【０００６】
特に照明用光源としてＬＥＤを用いることで照明装置の光量調節が容易となり、小型軽量化も可能となっているので、最近はＬＥＤを組み込んだ額帯鏡等の照明装置が広くもちいられている。
【先行技術文献】
【特許文献】
【０００７】
【特許文献１】特開２００７−２３６５２３号公報
【特許文献２】特開２００５−３０４５９９号公報
【特許文献３】特開２００２−２２８９９２号公報
【発明の概要】
【発明が解決しようとする課題】
【０００８】
ＬＥＤを用いた照明装置を眼鏡フレームの全面に装着する場合、照明装置がメガネフレームより前方に位置することになるのでフレームに重量負荷がかかり装着感が悪くなる。これを解決するにはメガネフレームにかかる重量負荷を小さくすることが望ましい。
【課題を解決するための手段】
【０００９】
前記課題を解決するための手段は、
眼鏡フレーム前面部に装着する取り付け部材を持ったＬＥＤと光学系で構成した照明手段を備えた照明装置で、前記照明手段の先端部より鼻の方向に向かって重量軽減保持部材を設けたことを特徴とする照明装置であり、
さらに、前記重量軽減保持部材は、先端部より鼻の方向に向かって相対的に屈曲可能に連結した複数の保持部材で構成する構造を特徴とする。
【発明の効果】
【００１０】
本発明による照明装置は簡単な構造で、眼鏡のフレームにかかる重量負荷を軽減できるので、特別の構造をもった眼鏡フレームを必要とせず、種々の眼鏡に適用可能となる。
【図面の簡単な説明】
【００１１】
【図１】ＬＥＤを用いた照明手段を眼鏡のフレームに装着する照明装置の構造を模式的に示す概略説明図。
【図２】図１に示す照明装置を正面からみた概略説明図で、眼鏡のフレームに装着した状態を示す。
【図３】本発明による照明装置を眼鏡フレームの前面に装着した使用状態を示す説明図である。
【図４】本発明による照明装置のＬＥＤを用いた照明手段と、ＬＥＤを駆動する電池収納部を一体化した状態を示す説明図である。
【発明を実施するための形態】
【００１２】
図１は、本発明による照明装置を眼鏡フレームの前面に装着する場合の説明図で、  前記照明装置の先端部より鼻の方向に向かって重量軽減保持部材を設けたことを特徴とする。
【００１３】
以下、図面を参照して本発明を実施する形態を説明する。図１は、本発明による照明装置を示す概略説明図で、理解を容易にするために図面の一部を断面で示している。図中１０は照明手段を示すもので、照明用光学系はレンズ１１、１２で構成され、光源としてＬＥＤ１４を備え筐体１３に組み込まれる。
【００１４】
図１中、１５はＬＥＤ１４の取り付け基板、１６はＬＥＤの光量を調節するスイッチ付のボリュームで、１７はＬＥＤ点灯用の回路基板を示す。なおLＥＤを駆動する電池等の電池収納部は、図示していないが本照明装置より離れた場所に配置されておりケーブル等で照明手段１０に連結される。
【００１５】
照明手段１０は保持部材１８取付けられており、前記保持部材はボール軸受２０、ボール２１で構成されるボールジャンクションを介して取り付け部材１９に装着し、取り付け部材１９は眼鏡フレームへの取付ける挟持グリップ２２に固着する。このようにボールジャンクションを介して照明手段１０を取り付け部材１９に装着すると、照明手段の照明範囲の位置を調整することが出来る。
【００１６】
なお、前記眼鏡フレームへの取りつける挟持グリップ２２は挟持板２４ａ、２４ｂ、ばね部材２５で構成される。
【００１７】
図２は前記照明装置を正面より見た正面図で、図２に示す点線で示した眼鏡フレーム３５に挟持グリップ２２を介して装着される。なお図２で示す符号は図１で用いたものと極力同じものを用いる。
【００１８】
図３は前記照明装置を実際に眼鏡に装着して使用する状態を示す。図３に示すように、前記照明装置は図１に示す眼鏡フレーム挟持グリップ２２の先端を開いて挟み込む形で眼鏡レーム３５の前面に装着する。
【００１９】
前記照明装置を眼鏡フレーム３５に装着すると、照明装置の着脱は容易になるが照明装置の重量が眼鏡前面にかかるので、装着感が悪くなり術者の負担が大きい。
【００２０】
本発明は、眼鏡に装着する照明装置の前部から、装着者の鼻の前面に接する重量軽減保持部材３０を設けることで前記術者に与える重いという装着感を著しく軽減することを特長としている。
【００２１】
図３に示すように、眼鏡に装着する照明装置の前部から、装着者の鼻の前面に重量軽減保持部材３０を設ける場合は、眼鏡の形状や眼鏡を装着する人の顔の形状で重量軽減補助部材３０の先端に設けた鼻当て部材３５が鼻の一部に最適な状態で接するとは限らない。
【００２２】
前記問題を解決するために、図１、図２、図３、に示すように本発明による重量軽減保持部材３０は２個の保持部材３１、３２より構成されており保持部材３１、３２はピン３４で連結して相対的に屈曲可能となっている。また、保持部材３１はピン３３で保持部材１９に連結され屈曲可能となっている。なお前記重量軽減部材３０は２個以上の複数個の保持部材で構成されてもよい。
【００２３】
前記保持部材は、単体の部材で構成されても簡易的には十分効果を期待できるので単体の部材であっても良い。
【００２４】
前記のような構成の重量軽減保持部材３０は、保持部材３２の先端に配置された鼻あて部材３５ａは最適な位置の選択が出来るので広範囲の種類の眼鏡に装着した場合でも、重量軽減の装着感効果が期待できる。
【００２５】
これまでに説明した照明装置は眼鏡フレームに掛かる重量負荷を軽減するために、電池収納部を照明部手段と別体としているが、図４に示すように電池収納部２５を図１に示した保持部材１８の一部を拡張した保持部材１８ａに取付け、電池収納部２５を照明手段１０と一体化することも可能である。
【００２６】
図４中、２５はＬＥＤを駆動する電池収納部で、２６は電池２８の収納ケース、２７は前記収納ケース２６のキャップを示す。なお電池収納部２５から照明手段１０への接続はケーブル等で行われるが図示を省略している。
【００２７】
このように、照明手段１０と電池収納部２５を一体化すると眼鏡フレームに掛かる重量負荷は増えるが電池収納部とのケーブルがなくなるので取扱が簡便な照明装置となる。
【符号の説明】
【００２８】
１０  照明手段
１１、１２  レンズ
１４  ＬＥＤ
２５  電池収納部
２６  電池
２２  挟持グリップ
３０  重量軽減保持部材
３６  眼鏡フレーム
【図１】
2015225146.tif 000003
【図２】
2015225146.tif 000004
【図３】
2015225146.tif 000005
【図４】
2015225146.tif 000006
【手続補正書】
【提出日】平成26年7月14日(2014.7.14)
【手続補正１】
【補正対象書類名】図面
【補正対象項目名】全図
【補正方法】変更
【補正の内容】
【図１】
2015225146.tif 000007
【図２】
2015225146.tif 000008
【図３】
2015225146.tif 000009
【図４】
2015225146.tif 000010